(57)【要約】【課題】  スタートトラックの位置誤差を最小にすることができ、ＨＤＤの不良を減らすことができる。【解決手段】  ＨＤＤを構成するディスク上にサーボデータを記録するためのディスク記録装置において、前記ディスク上に前記ディスクの端部から所定の距離をおいて離隔されたトラックに沿って基準信号を記録するための基準信号ライターと；前記ディスク上に記録された基準信号を検出するための検出部と、前記基準信号が検出された地点を基準にして前記ディスク上でサーボデータを記録するための記録部と、を有するサーボライターと；を含むことを特徴とする。【選択図】  図２
2004171734.tif 000002
【特許請求の範囲】
【請求項１】
ＨＤＤを構成するディスク上にサーボデータを記録するためのディスク記録装置において、
前記ディスク上に前記ディスクの端部から所定の距離をおいて離隔されたトラックに沿って基準信号を記録するための基準信号ライターと；
前記ディスク上に記録された基準信号を検出するための検出部と、前記基準信号が検出された地点を基準にして前記ディスク上でサーボデータを記録するための記録部と、を有するサーボライターと；
を含むことを特徴とするディスク記録装置。
【請求項２】
前記基準信号ライターは、
前記ディスク上に基準信号を記録するための基準信号ライターヘッドと；
前記基準信号ライターヘッドの位置を一定に維持するように支持する基準信号ライターアームと；
を含むことを特徴とする請求項１に記載のディスク記録装置。
【請求項３】
前記サーボライターは、
前記検出部及び記録部を有するサーボライターヘッドと；
前記サーボライターヘッドを支持するサーボライターアームと；
前記サーボライターアームを回動できるように支持し、前記検出部から検出された基準信号を基準にして前記サーボライターヘッドの位置を調整することができるポジショナーと；
を含むことを特徴とする請求項１または２に記載のディスク記録装置。
【請求項４】
前記ディスク上に記録された基準信号は、クロック信号を含むことを特徴とする請求項３に記載のディスク記録装置。
【請求項５】
ＨＤＤを構成するディスク上にサーボデータを記録するためのディスク記録方法において、
前記ディスク上に前記ディスクの端部から所定の距離をおいて離隔されたトラックに沿って基準信号を記録する段階と；
前記ディスク上に記録された基準信号を検出する段階と；
前記ディスク上に基準信号が検出された地点を基準にしてサーボデータを記録する段階と；
を含むことを特徴とするディスク記録方法。
【発明の詳細な説明】
【技術分野】
【０００１】
本発明は、ＨＤＤを構成するディスク上にサーボデータを記録するためのディスク記録装置及びその記録方法に関する。
【背景技術】
【０００２】
一般に、ＨＤＤ（Ｈａｒｄ Ｄｉｓｋ Ｄｒｉｖｅ）は、コンピュータシステムの補助記憶装置として広く使用されている。また、このようはＨＤＤは、データを貯蔵することができるディスク（Ｄｉｓｋ）と、ディスクにデータを記録したり貯蔵されたデータを読み出すことができるヘッドと、のような部品を含む。
ＨＤＤは、コンピュータシステムから受信されたデータの読み出し（Ｒｅａｄｉｎｇ）、書き込み（Ｗｒｉｔｉｎｇ）命令に従ってディスク上の所定のトラックにデータを記録したりディスク上から貯蔵されたデータを読み出したりすることができるようになる。
【０００３】
ディスク上に連続的にデータを記録したり読み出したりするためには、ヘッドを目標トラックに移動させ、続いて目標トラックを追従させるためには所定のサーボデータ（Ｓｅｒｖｏ Ｄａｔａ）が要求される。このようなサーボデータは、ＨＤＤの製造工程の中でサーボライティング（Ｓｅｒｖｏ Ｗｒｉｔｉｎｇ）工程でサーボライター（Ｓｅｒｖｏ Ｗｒｉｔｅｒ）によりディスク上に記録される。
【０００４】
このようなディスクにサーボデータを記録する方法としては、まず、ＨＤＤに１〜３枚のディスク（Ｄｉｓｋ）を組立ててからそれぞれのディスクをサーボライティングする方式があるのに、このような方式は、最近ＨＤＤが高密度及び大容量化されることにより、生産時間と設備（Ｓｅｒｖｏ Ｗｒｉｔｅｒ）を必要とするので市場の要求に応ずる生産量を十分になしおえられない。これにより最近には、複数のディスクを回転軸のようなハブに装着した後、サーボライティングした次に、ＨＤＤに組立てる方法に変化している。このような方式は、一度に複数のディスクをサーボライティングすることができるので、生産性が飛躍的に向上された。このようなサーボライティング方式にも、複数のディスクをサーボライティングするためには、サーボライターが必要である。
【０００５】
図１に示すように、このような従来のサーボライター１３０は、ディスク１００上でサーボデータを記録するためのサーボライターヘッド１３１と、サーボライターヘッド１３１を支持するサーボライターアーム１３５と、サーボライターアーム１３５と回動できるように結合されてサーボライターヘッドう１３１の位置を調整することができるポジショナー１３７と、を含む。
【０００６】
作業者は、ジグや目で確認して、ポジショナー１３７を調整してサーボライターヘッド１３１をディスク１１０上のサーボライティングが始まる時点、即ちスタートトラック１１３に位置させる。次に、サーボライターヘッド１３１は、スタートトラック１１３からサーボライティングを始める。
【０００７】
ところが、このような従来のサーボライター１３０は、ディスク１１０上にサーボライティングをするために作業者がジグや目でスタートトラック１１３を決定するので、サーボライティングする時毎にディスク１１０のスタートトラック１１３の位置が変わることができる。また、サーボライターヘッド１３１の損傷等によりサーボライターヘッド１３１及びサーボライターアーム１３５を交換してさらに組立てる場合にも組立て及び加工誤差によりディスク１１０上に記録されたスタートトラック１１３の位置が変わることになる。このようなディスク１１０がＨＤＤに組立てられると、ＨＤＤの内に設けられたヘッドがスタートトラック１１３を探し出すために所定に移動範囲を検索する時、ディスク１１０上のスタートトラック１１３の位置が一定ではないので、スタートトラック１１３の位置誤差（ヘッドの所定の移動範囲）を外すことができ、これによりヘッドがスタートトラック１１３を探し出さなくてＨＤＤを使用することができないという問題がある。
【発明の開示】
【発明が解決しようとする課題】
【０００８】
本発明の目的は、前述した問題点を解決するため、スタートトラックの位置誤差を最小にしてＨＤＤの不良を減らすことができるディスク記録装置及び記録方法を提供することである。
【課題を解決するための手段】
【０００９】
上記目的を達成するための本発明は、ＨＤＤを構成するディスク上にサーボデータを記録するためのディスク記録装置において、前記ディスク上に前記ディスクの端部から所定の距離をおいて離隔されたトラックに沿って基準信号を記録するための基準信号ライターと；前記ディスク上に記録された基準信号を検出するための検出部と、前記基準信号が検出された地点を基準にして前記ディスク上でサーボデータを記録するための記録部と、を有するサーボライターと；を含むことを特徴とする。
【００１０】
ここで、前記基準信号ライターは、前記ディスク上に基準信号を記録するための基準信号ライターヘッドと；前記基準信号ライターヘッドの位置を一定に維持するように支持する基準信号ライターアームと；を含むことを特徴とする。
前記サーボライターは、前記検出部及び記録部を有するサーボライターヘッドと；前記サーボライターヘッドを支持するサーボライターアームと；前記サーボライターアームを回動できるように支持し、前記検出部から検出された基準信号を基準にして前記サーボライターヘッドの位置を調整することができるポジショナーと；を含むことが好ましい。
前記ディスク上に記録された基準信号は、クロック信号を含むことが好ましい。
【００１１】
前記目的を達成するために、本発明は、ＨＤＤを構成するディスク上にサーボデータを記録するためのディスク記録方法において、前記ディスク上に前記ディスクの端部から所定の距離をおいて離隔されたトラックに沿って基準信号を記録する段階と；前記ディスク上に記録された基準信号を検出する段階と；前記ディスク上に基準信号が検出された地点を基準にしてサーボデータを記録する段階と；を含むことを特徴とする。
【００１２】
一般的に、ＨＤＤを構成するディスクにサーボデータを記録する方法として最近には、複数のディスクを回転軸のハブに装着した後、サーボライティングした次にＨＤＤに組立てる方法を使用している。このような方式は、一度に複数のディスクをサーボライティングすることができるので生産性が向上される。
【発明の効果】
【００１３】
本発明によると、スタートトラックの位置誤差を最小にすることができ、ＨＤＤの不良を減らすことができる。
【発明を実施するための最良の形態】
【００１４】
以下、本明細書では、一度に複数のディスクをサーボライティングすることができるディスク記録装置を一実施形態として添付図面を参照して本発明に対して詳細に説明する。
図２及び図３に示すように、本発明によるディスク記録装置は、ディスク１０上にディスク１０の端部から所定の距離をおいて離隔されたトラックに沿って基準信号を記録するための基準信号ライター２０と、ディスク１０上に記録された基準信号を検出するための検出部３２及び基準信号が検出された地点を基準にしてディスク１０上でサーボデータを記録するための記録部３３を有するサーボライター３０と、を含む。
【００１５】
ディスク１０は、複数個が所定の間隔をおいて回転軸４０に設けられる。また、このような回転軸４０は、アクチュエーター（Ａｃｔｕａｔｏｒ）により駆動されてディスク１０を回転させる。
基準信号ライター２０は、複数のディスク１０の中で一番上に設けられたディスク１０上に基準信号を記録する。また、基準信号ライター２０は、ディスク１０上に基準信号を記録するための基準信号ライターヘッド２１と、基準信号ライターヘッド２１の位置を一定に維持するように支持する基準信号ライターアーム２３と、を含む。
【００１６】
基準信号ライターヘッド２１は、基準信号ライターアーム２３の一側の端部の下側に設けられて一番上に置かれたディスク１０上に基準信号を記録する。
基準信号ライターアーム２３は、その一側に基準信号ライターヘッド２１が設けられ、その他側には基準信号ライターヘッド２１の位置を一定に維持するようにディスク１０の外側に設けられるケーシング（図示せず）やベース（図示せず）等が締結される。
【００１７】
基準信号ライター２０は、ディスク１０上にディスク１０の端部から所定の距離をおいて離隔されたトラックに沿って基準信号を記録することができる。ディスク１０の端部から基準信号トラック１１までの距離は作業者により任儀に設定されることができる。また、このようなディスク１０の端部から基準信号トラック１１までの距離の誤差はディスク１０がＨＤＤに組立てられてＨＤＤの内に設けられたヘッドがディスク１０上のサーボライティングが始まる時点、即ちスタートトラック１３を探し出すための所定の移動範囲よりさらに小さい。また、基準信号ライターアーム２３が回動しなくて、基準信号ライターヘッド２１の位置を一定に維持するように支持するので、毎晩基準信号を記録する毎に、ディスク１０の端部から基準信号トラック１１までの距離を殆ど一定に維持することができる。
【００１８】
サーボライター３０は、検出部３２及び記録部３３を有するサーボライターヘッド３１と、サーボライターヘッド３１を支持するサーボライターアーム３５と、サーボライターアーム３５を回動できるように支持し検出部３２から検出された基準信号を基準にしてサーボライターヘッド３１の位置を調整することができるポジショナー３７と、を含む。
【００１９】
サーボライターヘッド３１の検出部３２は、基準信号ライター２０により複数のディスク１０の中で一番上に設けられたディスク１０上に記録された基準信号を検出する役割をする。また、サーボライターヘッド３１の記録部３３は、基準信号が検出された地点を基準にして複数のディスク１０上にそれぞれサーボデータを記録する役割をする。これにより、サーボライターヘッド３１は、複数のディスク１０のそれぞれに対応して複数個が設けられ、それぞれのサーボライターヘッド３１には、記録部３３が設けられてそれぞれのディスク１０上にサーボデータを記録することができるようになる。しかし、検出部３２は、一番上に設けられたディスク１０の基準信号を検出するために一番上に設けられたサーボライターヘッド３１だけに設けられると大丈夫である。
【００２０】
サーボライターアーム３５は、複数のサーボライターヘッド３１を支持し、ポジショナー３７に対して回動できるように設けられる。
ポジショナー３７は、検出部３２から検出された基準信号を基準にして複数のサーボライターヘッド３１の位置を調整することができる制御部３８と、制御部３８によりサーボライターアーム３５を所定の角度に回動させる駆動部３９と、を有する。
【００２１】
制御部３８は、作業者が基準信号のトラックの位置とディスク１０がＨＤＤに組立てられた時にＨＤＤに設けられたヘッドがスタートトラック１３を探し出すための所定の移動範囲を考慮して複数のディスク１０上の適切な位置にサーボライターヘッド３１が移動するように駆動部３９を制御することができる。また、このような制御部３８によりサーボライターヘッド３１は、基準信号トラック１１を基準にしてトランク単位のような方式に移動されるのでサーボライターヘッド３１は、殆ど誤差なく精密に移動することができる。これにより、ポジショナー３７は、サーボライターヘッド３１が基準信号を検出するとその地点を基準として制御部３８により設定された距離だけサーボライターアーム３５を回動させてサーボライターヘッド３１を移動させる。
【００２２】
このような構成により本発明によるディスク記録装置の作動過程を図４のフローチャートを参照して説明すると次の通りである。
まず、複数のディスク１０を回転軸４０に設ける（Ｓ１）。これにより、基準信号ライター２０により複数のディスク１０の中で一番上に設けられたディスク１０上に基準信号が記録される（Ｓ２）。次に、サーボライター３０のサーボライターヘッド３１により基準信号が検出されると（Ｓ３）、サーボライター３０のポジショナー３７は、基準信号が検出された地点を基準にして制御部３８に設定された距離だけサーボライターヘッド３１を移動させる（Ｓ４）。次に、サーボライターヘッド３１は、移動された地点、即ちスタートトラック１３でサーボライティングを行うことになる（Ｓ５）。
【００２３】
これにより、毎晩ディスク１０に基準信号を記録する毎に、ディスク１０の端部から基準信号トラック１１までの距離を殆ど一定に維持することができ、このような基準信号によりディスク１０上にサーボライティング始まる地点、即ちスタートトラック１３の位置を設定することにより、スタートトラック１３の位置誤差を最小にすることができる。また、ディスク１０上のスタートトラックの位置誤差を最小にすることにより、このようなディスク１０がＨＤＤに組立てられる時、ＨＤＤに設けられたヘッドがディスク１０上のスタートトラック１３を探し出さなくて発生されるＨＤＤの不良を減らすことができる。
【００２４】
前述した実施形態では、基準信号ライター２０が複数のディスク１０の中で一番上に設けられたディスク１０上に基準信号を記録するように設けられるが、基準信号ライターが複数のディスク１０の中で一番上に設けられたディスク１０の除いた他のディスク１０上に基準信号を記録することもできるので、いくつのディスク１０上に基準信号を記録することもできる。
【００２５】
前述した実施形態では、スタートトラック１３の位置を決定するために基準信号ライター２０によりディスク１０上に記録される別途の基準信号を設けているが、このような基準信号としてディスク１０上にサーボライティング時の動期化のためにサーボライティング前にディスク上に記録されるクロック信号（Ｃｌｏｃｋ Ｓｉｇｎａｌ）を利用することもできる。
【００２６】
このように、本発明によるディスク記録装置は、ディスク上にディスクの端部から所定の距離をおいて離隔されたトラックに沿って基準信号を記録することができ、ディスクの端部から基準信号トラックまでの距離を一定に維持することができる基準信号ライターを設け、ディスク上に記録された基準信号を検出して検出された基準信号を基準にしてディスク上にサーボデータを記録するサーボライターを設けて、スタートトラックの位置誤差を最小にすることができ、ＨＤＤの不良を減らすことができる。
【図面の簡単な説明】
【００２７】
【図１】従来のディスク記録装置の概略的な斜視図である。
【図２】本発明によるディスク記録装置の概略的な斜視図である。
【図３】本発明によるディスク記録装置のサーブライターの概略的なブロック図である。
【図４】本発明によるディスク記録装置の動作を説明するフローチャートである。
【符号の説明】
【００２８】
１０         ディスク
１１         基準信号トラック
１３         スタートトラック
２０         基準信号ライター
２１         基準信号ライターヘッド
２３         基準信号ライターアーム
３０         サーボライター
３１         サーボライターヘッド
３２         検出部
３３         記録部
３５         サーボライターアーム
３７         ポジショナー
３８         制御部
３９         駆動部
４０         回転軸
【図１】
2004171734.tif 000003
【図２】
2004171734.tif 000004
【図３】
2004171734.tif 000005
【図４】
2004171734.tif 000006